(57)【特許請求の範囲】
【請求項１】
調理物を収容し、壁面に吸込口および吹出口と前記壁面下方に開口部とを有する庫を設けた筐体と、前記吸込口から吸い込んだ空気を前記吹出口から庫内に吹き出す送風手段と、過熱蒸気を発生させるボイラーと、前記ボイラーに水を送り込む給水手段と、前記ボイラーで発生した蒸気を前記吸込口の近傍に導く蒸気誘導ダクトと、前記送風手段と前記吹出口との間に設けられた追い加熱手段と、前記開口部に連結された冷却ダクトとを備えた過熱蒸気調理器。
【発明の詳細な説明】
【技術分野】
【０００１】
本発明は、１００℃以上に加熱した蒸気（以降、過熱蒸気という）を庫内で利用して調理を行う過熱蒸気調理器に関するものである。
【背景技術】
【０００２】
従来の過熱蒸気調理器は、食品から出る水蒸気を庫内に閉じ込め過熱蒸気として利用する簡単な構成をめざしたのもの、また、オーブン庫内の底部の水を蒸発させて赤外線で加熱して過熱蒸気を得る簡単な構成をめざしたものなどがある。更にまた、水蒸気発生器と加熱器並びに調理容器とで構成されるような過熱蒸気調理器も見られる。
【発明の開示】
【発明が解決しようとする課題】
【０００３】
しかしながら、過熱蒸気という１００℃を越える特殊な熱媒体を利用するためには、基本構成のみならず様々な調理条件設定を行わないと上手く調理が出来ないと同時に、過熱蒸気は目に見えない高温の熱媒体のため、一般家庭で使用する時には安全性に工夫を凝らさないと利用できるものではないと言う課題を有していた。
【課題を解決するための手段】
【０００４】
この課題を解決するために本発明は、調理物を収容し、壁面に吸込口および吹出口と前記壁面下方に開口部とを有する庫を設けた筐体と、前記吸込口から吸い込んだ空気を前記吹出口から庫内に吹き出す送風手段と、過熱蒸気を発生させるボイラーと、前記ボイラーに水を送り込む給水手段と、前記ボイラーで発生した蒸気を前記吸込口の近傍に導く蒸気誘導ダクトと、前記送風手段と前記吹出口との間に設けられた追い加熱手段と、前記開口部に連結された冷却ダクトとを備えた過熱蒸気調理器としたものである。
【発明の効果】
【０００５】
本発明は上記構成により、庫内で追い加熱しながら使用する過熱蒸気を均一に撹拌する。したがって、一般家庭でも過熱蒸気を利用することが出来る機器を提供することができるものである。
【発明を実施するための最良の形態】
【０００６】
以下、本発明の実施の形態について、図面を用いて説明する。
【０００７】
（実施例１）
図１において、筐体１には、庫内１ａと通ずる開口部２を側面下方に設け、この開口部２に連結して冷却ダクト３を設けている。この冷却ダクト３の下方は開口しており、この下に水受皿４を設けている。筐体１の内部には、庫内１ａに送風する強制循環用のファンである送風手段５が設けられており、外部のモータ６により駆動される構成となっている。
【０００８】
筐体１の外部には、過熱蒸気を発生させるボイラー７と、このボイラー７の下方から水を送り込むポンプである給水手段８が設けられている。この給水手段８へはタンク９から水が供給される構成である。ボイラー７の上部に発生した過熱蒸気は蒸気誘導ダクト１０を通って庫内１ａに送り込まれる構成であり、蒸気誘導ダクト１０の出口には庫内循環吸込口１１が構成されている。庫内循環吸込口１１の後部に設けた送風手段５の吹出側にはヒータである追い加熱手段１２を構成している。筐体１には、送風手段５からの送風を庫内１ａに循環させる庫内循環吹出口１３が複数箇所設けられている。１４はボイラー７内に設けたボイラーヒーターであり、１５はボイラー７内部に構成された複数のガイド板である。
【０００９】
この構成による動作としては、まずタンク９から給水手段８によってボイラー７に水を送り込む。ボイラー７内部では、水がボイラーヒータ１４に触れると加熱され蒸発し始める。この蒸気は、ボイラー７内部の複数のガイド板１５に沿って矢印Ａのように上昇しながら加熱され過熱蒸気となり、蒸気誘導ダクト１０に導かれる。過熱蒸気は蒸気誘導ダクト１０から出ると庫内循環吸込口１１から送風手段５により矢印Ｂのように吸込まれ、追い加熱手段１２で加熱された後、矢印Ｃのように複数の庫内循環吹出口１３から庫内１ａへ送られ、庫内１ａを過熱蒸気で充満させる。庫内の空気や余分な蒸気は、側面下方の開口部２から追い出され、冷却ダクト３内部で冷却される。この時の結露水は下方の水受皿４で回収される。
【００１０】
次に効果について説明する。過熱蒸気は空気より軽いので庫内１ａの上方に位置する。上方に排気開口部を設けると蒸気が抜けてしまい、庫内１ａに空気が残り過熱蒸気を上手く利用出来ないが、開口部２を側面下方に設けたことで庫内１ａを過熱蒸気で満たすことができる。また、蒸気誘導ダクト１０から入って来た過熱蒸気をすぐに送風手段５で追い過熱手段１２に当てているので、庫内温度の変動が少なく安定した調理状態を実現することができる。更にまた、冷却ダクト３により、加熱された空気や蒸気が直接庫外に吹き出すことがなく安全である。
【００１１】
（実施例２）
図２は実施例２の構成を示したものである。図において、蒸気誘導ダクト１０の内部に温度検出手段２０を設け、庫内１ａ下方の壁面に温度検出手段２１を、送風手段５の吸込側である庫内循環吸込口１１の近傍に温度検出手段２２を、更に側面下方の開口部２の位置に温度検出手段２３と、合計４カ所に温度検出手段を設けたものである。他の構成は実施例１と同様であるので、説明は省略する。
【００１２】
この４つの温度検出手段２０〜２３を設けた効果としては、調理内容に応じた発生蒸気温度を温度検出手段２０で検出することが出来、庫壁に結露しないための庫壁温度を庫壁温度の最も低い位置に設けた温度検出手段２１で検出することが出来、庫内で撹拌される蒸気温度を温度検出手段２２で検出することが出来、排気時に庫内の温度が充分低下したことを温度検出手段２３で確認することが出来るものである。
【００１３】
（実施例３）
図３は実施例３の構成を示したものである。追い加熱手段１２の通電量を可変する第一の通電量可変手段３０を設け、追い加熱手段１２への通電量に応じて送風手段５の送風量を変更する送風量可変手段３１を設けている。他の構成は実施例１と同様であるので、説明は省略する。
【００１４】
この構成により、庫内１ａで撹拌される蒸気を追い加熱する加熱量が多ければ撹拌するための送風量を多くし、加熱量が少ないときには送風量を少なくするので、常に均一な蒸気温度で庫内を満たすことが出来るものである。
【００１５】
（実施例４）
図４は実施例４の構成を示したものである。ボイラー７への通電量を可変する第二の通電量可変手段４０を設け、さらにボイラー７の通電量に応じて給水手段８の給水量を変更する給水量可変手段４１を設けている。他の構成は実施例１と同様であるので、説明は省略する。
【００１６】
この構成により、ボイラー７への通電量に応じて給水量を可変することにより、発生させる過熱蒸気の量を可変し、調理内容に従った最適な加熱蒸気量を供給することが出来る
ものである。
【００１７】
（実施例５）
図５は実施例５の構成を示したものである。ボイラー７への通電量と、庫内１ａの追い加熱手段１２への通電量の比率を可変する通電比率可変手段５０を設けたものである。他の構成は実施例１と同様であるので、説明は省略する。
【００１８】
この構成により、ＡＣ１００Ｖから取り出せる機器の電力を、蒸気発生に必要な電力と庫内で使用する電力とに分けて、常に最大に電力を利用して調理を素早くおこなうことが出来るという効果が出せるものである。
【００１９】
（実施例６）
図６は実施例６の構成を示したものである。送風手段５の吸込側にあたる庫内循環吸込口１１に一端を設けた外気導入ダクト６０と、外気導入ダクト６０の外気吸込部に設けた吸込切換手段６１とを設けたものである。他の構成は実施例１と同様であるので、説明は省略する。
【００２０】
この構成により、吸込切換手段６１で庫内循環と外気吸い込みを切り換えながら、外気を入れて庫内１ａの蒸気を強制排気することが出来るものであり、庫内の蒸気を排気することで、庫内を閉じているドアを開けたとき、安全に調理物を取り出すことが出来るという効果を発揮するものである。
【産業上の利用可能性】
【００２１】
以上のように、本発明によれば、庫内で追い加熱しながら過熱蒸気を均一に撹拌すると共に、庫内から余分な空気を追い出し、且つ冷却した後に庫外へ排出する構成としたので、一般家庭でも過熱蒸気を自在に調整して利用することが出来、また外気による強制冷却により、使用者が過熱蒸気に触れることなく安全に使用する機器を提供することができるものである。
【図面の簡単な説明】
【００２２】
【図１】（ａ）本発明の第１の実施例を示す過熱蒸気調理器の概略構成を示す正断面図  （ｂ）同過熱蒸気調理器の部分側断面図
【図２】（ａ）本発明の第２の実施例を示す過熱蒸気調理器の概略構成を示す正断面図  （ｂ）同過熱蒸気調理器の部分側断面図
【図３】本発明の第３の実施例を示す過熱蒸気調理器の概略構成を示す正断面図
【図４】本発明の第４の実施例を示す過熱蒸気調理器の概略構成を示す正断面図
【図５】本発明の第５の実施例を示す過熱蒸気調理器の概略構成を示す正断面図
【図６】（ａ）本発明の第６の実施例を示す過熱蒸気調理器の概略構成を示す正断面図  （ｂ）同過熱蒸気調理器の部分側断面図
【符号の説明】
【００２３】
１  筐体
２  開口部
３  冷却ダクト
４  水受皿
５  送風手段
７  ボイラー
８  給水手段
１０  蒸気誘導ダクト
１２  追い加熱手段
【図１】
0004412331.tif 000002
【図２】
0004412331.tif 000003
【図３】
0004412331.tif 000004
【図４】
0004412331.tif 000005
【図５】
0004412331.tif 000006
【図６】
0004412331.tif 000007